(57)【要約】【課題】より安価で合理的かつ安全な、車輌等のインターネットオークション市場の提供。【解決手段】多様な商品を所有する複数の売り手と、複数の買い手が、インターネット回線を介し、商品を競合的に取引する商取引方法であって、（１）商品のカテゴリー群及びディテイルの表示手段と、ディテイルの検索によりカテゴリー群が連係表示される手段を有する表示機能を備え、（２）売り手の商品入力手段と、買い手の希望条件及び／又は「価格又は価格帯」の入力手段と、商品を価格帯に振り分け、価格帯を高い順等に並び替え、表示する手段と、買い手が選択する価格帯の、一人以上の売り手が所有する一以上の商品の条件出力手段を有する登録情報入出力機能と、（３）買い手の自己認証ＩＤコードナンバー等の入力手段と、（４）売り手と買い手の登録情報に合意して契約処理を入力する手段を具備したことを特徴とする競合商取引方法。【選択図】図１４
2008226219.tif 000002
【特許請求の範囲】
【請求項１】
複数の条件を備える商品を所有する複数の売り手と、商品の購入を希望する複数の買い手が、インターネットサーバ回線を通じて接合され、商品を競合的に取引する、複合条件商品の競合商取引方法であって、
（１）商品のカテゴリー群の項目の表示手段と、その各々のカテゴリーに付帯したディテイルの表示手段と、ディテイルを検索することによりカテゴリー群が連係表示されるようにしたカテゴリー群連係表示手段と、を有する表示機能を備え、
（２）売り手が所有する商品の複合条件を入力する手段と、買い手が希望する商品の複合条件及び／又は「価格若しくは価格帯」を入力する手段と、当該複合条件が入力された商品の価格を価格帯に振り分ける手段と、価格帯を高い順又は安い順に並び替えをする手段と、価格帯を高い順又は安い順に表示する手段と、買い手が価格帯を選択するとその価格帯に分類されている一人の又は複数の売り手が所有する一の又は複数の商品のそれぞれの複合条件が出力される出力手段と、を有する登録情報入出力機能と、
（３）売り手が所有する商品の複合条件を買い手が知るために、買い手の自己認証ＩＤコードナンバー及びパスワードを入力する手段と、
（４）登録情報入出力機能により開示された、売り手と買い手の登録情報に合意して契約処理がなされたことを入力する手段と、
を具備したことを特徴とする競合商取引方法。
【請求項２】
個々総合的な条件を備える商品を所有する複数の売り手と、該商品の購入を希望する複数の買い手が、インターネット回線を通じて接合され該商品を競合的に取引する統合的プログラムによる競合商取引方法であって、該商品の生産国、物品の種類、メーカー、呼称、型式、生産年等からなるカテゴリー群のデータベースと、その各々に付帯したディテイル検索手段と、一・二の該ディテイル検索手段の確定によりカテゴリー群が連係表示されるようにしたカテゴリー群連動表示処理手段とからなるカテゴリー表示機能を備え該商品の取引を希望する売り手又は買い手として前記サーバ回線の会員登録する会員登録手段と、該登録を記録データとする記録データ手段と、各自が所有する該商品の複合条件を登録データ化する売り手商品情報登録データ化手段と該商品の購入希望者が、その複合条件を記録登録する買い手条件登録手段と、当該複合条件を伴って登録された商品を区分けされた価格帯が連鎖表示されてなる価格連鎖帯を挟んで、当該価格連鎖帯にシンクロして対向した売り手、買い手の各希望価格帯に価格順列的に振分けて登録処理するカテゴリー価格順列振分け登録手段と、当該振分けられた売り手の複合条件を両者登録会員が自己認証ＩＤコードナンバー及びパスワードを使用して、コンピューター端末より当該インターネットサーバ回線にアクセスして上記相手方価格帯をカーソルクリックして登録情報を開示させる登録情報開示手段と、ＩＤコード化した前記各売り手買い手の登録情報を登録情報開示手段により開示された諸条件に合意し、契約処理を行う契約処理手段を具備したことを特徴とする、インターネットサーバ回線を使用した売り手買い手等価参入対比型複合条件商品の競合商取引方法。
【請求項３】
請求項１又は請求項２記載の競合商取引方法に用いられるプログラムであって、商品のカテゴリー群の表示手段、ディテイルの表示手段、及び、カテゴリー群連係表示手段を有する表示機能；
売り手が所有する商品の複合条件を入力する手段、買い手が希望する商品の複合条件及び／又は「価格若しくは価格帯」を入力する手段、当該複合条件が入力された商品の価格を価格帯に振り分ける手段、価格帯を高い順又は安い順に並び替えをする手段、価格帯を高い順又は安い順に表示する手段、及び、買い手が価格帯を選択するとその価格帯に分類されている一人の又は複数の売り手が所有する一の又は複数の商品のそれぞれの複合条件が出力される出力手段を有する登録情報入出力機能；
並びに、登録情報入出力機能により開示された売り手と買い手の登録情報に合意して契約処理がなされたことを入力する手段が記載されたことを特徴とする競合商取引方法用プログラム。
【請求項４】
本発明請求項１の競合商取引方法を基本構成とするインターネットサーバ回線を使用した、請求項２の売り手買い手等価参入対比型の複合条件商品の競合商取引のプログラムであって、請求項１のカテゴリー表示機能と売り手商品情報登録データ化手段、及び買い手希望商品情報である買い手条件登録手段のデータベースに、該売り手買い手の希望選択ファクターをカテゴリー化して表示しその中から希望ディテイルカテゴリ−を選択処理する、希望ファクター包含商品選択スクリーニング手段を設けたことを特徴とする取引条件スクリーニング機能付売り手買い手等価参入対比型の競合商取引方法用プログラム。
【請求項５】
請求項１又は請求項２の競合商取引方法を実行する前に、更に、下記（Ａ）及び（Ｃ）を選択肢として加え、下記（Ａ）、（Ｂ）及び（Ｃ）の競合商取引方法の中から選択された方法を入力する手段を有することを特徴とする請求項１又は請求項２に記載の競合商取引方法。
（Ａ）売り手が、取引希望価格を指値とし、その指値に応札した最初の買い手に購入する権利を付与する競合商取引方法
（Ｂ）請求項１又は請求項２記載の競合商取引方法
（Ｃ）売り手が、一の商品の取引希望価格帯を指定し、その価格帯がスタートラインとして表示され、ある一定期限毎に開始され、登録会員の誰もが競合入札を行なうことができる競合商取引方法
【請求項６】
請求項１又は請求項２の競合商取引方法において、売り手と買い手が互いの登録情報に合意するに際して、下記の（イ）及び（ロ）の選択を入力する手段を有する請求項１、請求項２又は請求項５記載の競合商取引方法。
（イ）ある一定期限内に買い手がいない場合は、その下位の価格帯に自動的に移行するか、商取引をキャンセルするかの選択
（ロ）最も高い価格若しくは価格帯を選択した買い手が複数いる場合は、自動的に上の価格帯に移行するか、複数の買い手から売り手が任意に一人を選ぶかの選択
【請求項７】
請求項１、請求項２、請求項５又は請求項６の競合商取引方法において、売り手商品情報登録データ化手段に、売り手側商品取引条件項目を設けた取引条件選択可能型競合商取引方法であって、本条件を仮にＡ，Ｂ，Ｃと設定した時、仮にＡを固定指値としその取引希望価格に応札した最初の買い手に購入する権利を付与し、又仮にＢをある価格帯ａ〜ｅの内の値幅であって、ある一定期間内に於ける最高値応札者に落札する値幅、期間制限型の競合商取引とし、又該Ｂ条件にあっては期限内に応札者が誰もいない場合は、その下位の価格帯に自動的に移行するか、商取引をキャンセルするかの条件を付与し又逆に値幅制限に至っても尚且つ競合者が多数ある場合は、自動的に上の価格帯に移行するか、又は最高値制限幅に応札した者の中から売主が任意に選択するか機械的に選択するかの条件を規定した変則補正条件処理手段と、又仮にＣはある価格帯ｆ〜ｊの売り手指値をスタートラインとした価格を表示しある一定期限毎に開始される本発明に係るインターネットサーバ回線の端末より本サーバー登録会員の誰もが競合入札を行なうことを条件とする、リアルタイム競合商取引手段とを具備した取引条件選択可能型の、請求項１、請求項２、請求項５又は請求項６記載の競合商取引方法。
【請求項８】
請求項５又は請求項７記載の競合商取引方法の中の（Ｃ）に用いられるプログラムであって、商品の映像と出品番号を表示する手段、時計表示手段、買い手がＩＤコードナンバーとパスワードを入力する手段、リアルタイム競合商取引の表示手段、及び、応札反応処理手段が記載されていることを特徴とする競合商取引方法用プログラム。
【請求項９】
請求項７の取引条件選択可能型の競合商取引方法の中の条件Ｃに用いられるプログラムであって、前記競争原理応札を当該インターネット回線の端末より参加する、リアルタイム競合商取引に使用するコンピューター表示画面に関するプログラムであって、最上部に取引前の商品映像を映し出す商品映像表示手段と出品番号を表示する出品番号表示手段とアナログ型デジタル時計により競合商取引数秒前より表示するコンピューターアナログ時計を配し、該アナログ時計が取引スタート時に「スタートします」と発声するようにプログラムされ４秒前からピッピッピッポー、とスタートを音声表示するようにしたコンピューター時計手段と、一直線にのびる価格表示板に平行に並んだ２本の価格電光表示帯が端末競合商取引参加会員の応札反応を受付けて、該価格電光表示帯の一方を価格毎に細区分された電光表示帯を光学的に押上げ、又は押下げる応札反応処理手段と他方ＩＤコードナンバー及びパスワードを付与された登録会員がコンピューター端末を使用して参加した時に反応する前記機能を有する応札反応処理手段とから構成されることを特徴とするリアルタイム競合商取引コンピュータープログラムであって、請求項３、請求項４又は請求項８の何れかの請求項記載の競合商取引方法用プログラム。
【請求項１０】
請求項５ないし請求項７の何れかの請求項記載の競合商取引方法に用いられるプログラムで、請求項６記載の選択を入力する手段、デジタル数値化した商品の表示手段、商品の価格帯を高い順又は安い順に表示する手段、カテゴリーに付帯したディテイルの表示手段、商品をスライド、拡大表示する手段、及び、新たな商品の自動更新手段が記載されたことを特徴とする商品開示プログラムであって、請求項３、請求項４、請求項８又は請求項９の何れかの請求項記載の競合商取引方法用プログラム。
【請求項１１】
売り手商品情報及び買い手条件等の情報の入出力機能を有するサーバと、通信回線を介して接続された複数の端末コンピューターに接続され、登録情報の中から買い手の価格等の条件に対応し振り分け、並び替え、表示された競売対象の商品に対して応札するための入力手段と、売り手、買い手の自己認証ＩＤコードナンバー及びパスワードを登録する手段と、契約処理手段とからなり、サーバが競売を開始後応札者がいない場合に、価格帯を下位の価格帯に自動的に移行するか商談をキャンセルするか、あるいは複数の競合者がいる場合は、自動的に上位の価格帯に移行するか、任意に買い手を選択するかの何れかの処理を自動選択すべく売り手が補正条件を入力できるように構成されていることを特徴とする請求項１、請求項２、請求項５ないし請求項７の何れかの請求項記載の競合商取引方法を利用した競売システム。
【請求項１２】
請求項５ないし請求項７の何れかの請求項記載の競合商取引方法において、当該競合商取引がスタートする前に当該条件に関る商品を希望者に開示する開示プログラムであって、本発明請求項２の希望ファクター包含商品選択スクリーニング手段をカーソルクリックして表示されたスクリーニングカテゴリーの内の取引条件Ａ,Ｂ,Ｃの、本例ではＣをクリックすると当該カテゴリー商品の内Ｃ条件に関する登録商品が本発明請求項１の価格帯にデジタル数字として表示されるデジタル数値表示手段と、又更に当該価格帯をクリックすると価格順列化されたＣ条件商品群が表示される価格順列表示手段と更にその個々の商品をクリックすると当該Ｃ条件商品ディテイルが表示される個別商品ディテイル表示手段と表示された登録商品をスライド移行させるスライド手段とそれら個々の登録商品を拡大表示させる拡大表示手段と、当該Ｃ条件商品が契約されると表示機能より消え、新たな当該商品に更新される自動更新手段からなるＣ条件該当商品開示プログラムであって、請求項３、請求項４、請求項８ないし請求項１０の何れかの請求項記載の競合商取引方法用プログラム。
【請求項１３】
本発明における買い手登録データの開示システムであって、請求項１又は請求項２において記載されている競合商取引方法に係る、買い手条件登録手段と、本登録情報を開示させる登録情報開示手段と請求項１０ないし請求項１２の何れかの請求項記載の開示、スライド及び拡大の各手段機能を具備させたことを特徴とする買い手登録データ開示システムを具備する請求項１１記載の競売システム。
【請求項１４】
請求項５ないし請求項７の何れかの請求項記載の競合商取引方法において記載されている、取引手段にあるＡ、Ｂ、Ｃの各統合商取引の成果表示方法であって、それら競合商取引の数量と価格、平均値を時間、日、週、月、年度別に罫線、又はグラフ化する処理機能手段を具備したことを特徴とする本発明請求項５ないし請求項７の何れかの請求項記載の競合商取引方法の取引手段と一体プログラム化された競合商取引成果表示方法を具備する、請求項１、請求項２、請求項５ないし請求項７の何れかの請求項記載の競合商取引方法。
【請求項１５】
請求項１又は請求項２の競合商取引方法において用いられる、売り手又は買い手の現在取引ポジショニングをその個々の取引について表示させるプログラムであって、売買どちらかを或いは又、その両方に登録した参加者が本発明インターネットサーバのホームページに、固有ＩＤコードナンバー及びパスワードにてログインした時、請求項１又は請求項２の競合商取引方法の基本プログラム表示の最上部にグローバル表示されることを特徴とした登録価格、数量、現在取引条件、メールの有無及び該メールの数等の現在取引ポジショニングを表示させる現在取引表示プログラムを有する、請求項３、請求項４、請求項８、請求項１２の何れかの請求項記載の競合商取引方法用プログラム。
【請求項１６】
本発明に関る請求項１、請求項２、請求項５ないし請求項７の何れかの請求項記載の競合商取引方法において、競合商取引が成立した時の買い手側の代金支払処理方法であって車輌を取引した時に直接売り手に取引代金を振込むことなく本発明に係るインターネットサーバが各顧客用に設けた顧客口座手段と本発明に係るインターネットサーバスタッフ又は当該サーバの代理人が当該取引に係る車輌を確保、契約条件確認を行う取引車輌確保条件確認手段と当該確保条件確認後に当該サーバが前記売り主の指定振替口座に現金振込み処理する確認後現金振替処理手段とから構成されることを特徴とするサーバ保障型取引代金／物品交換処理方法を有する、請求項１、請求項２、請求項５ないし請求項７、請求項１４の何れかの請求項記載の競合商取引方法。
【請求項１７】
請求項１６のサーバ保障型取引代金／物品交換処理方法において用いられる、サーバスタッフ、又はその代理人が取引車輌を確保条件確認してサーバ所有又は契約保管場所等に当該車輌を保管しサーバは買い手に保管証券を発行する証券化（システム）方法であって、買い手は当該証券を元手に再びサーバの該競合商取引方法に売り手として該証券化された車輌を出品登録して取引を実行し買い値以上の売り値を付して市場利益を追求する車輌の証券化に伴う商取引方法であって当該車輌保管証券取引を実行し更に又当該証券購入者は当該証券に裏書登録することができる裏書処理手段とによって新規証券保持者となり同様の行為を継続することを特徴とする、サーバ保障型取引代金／物品交換処理方法による車輌等保管証券取引システムを有する、請求項１１又は請求項１３記載の競売システム。
【請求項１８】
請求項１７の車輌等保管証券取引システムを有する競売システムにおいて用いられる、証券化された保管車輌を占有証券と所有証券に分離する証券権益分離方法であって、占有証券所有者はレンタル権を、所有証券所有者は販売権を付与されるビジネス方法であって、インターネットサーバは前記両者より保管料や仲介手数料を取得する車輌等の保管証券権益分離方法を有する、請求項１、請求項２、請求項５ないし請求項７、請求項１４、請求項１６の何れかの請求項記載の競合商取引方法。
【請求項１９】
請求項８又は請求項９のプログラムにおいて、取引条件選択可能型競合商取引方法のＣ条件における競合商取引注文入札プログラムであって、買い手側自己端末参加者が買い値上限を予め指定し当該設定値未満であれば、競合相手第３者の全ての応札を一応札単位越えて落札するようにプログラム処理され、且つ上記指定上限値に達した時点で応札を停止することを唯一条件とした指値内成行唯一条件注文プログラムであるところの競合商取引注文入札プログラムを有する、請求項３、請求項４、請求項８ないし請求項１０、請求項１５の何れかの請求項記載の競合商取引方法用プログラム。
【請求項２０】
請求項１９の指値内成行唯一条件注文プログラムの逆の売り手条件の競合商取引注文プログラムであって、売り手側自己端末参加者が自らの売り値下限値を予め逆指定し、競合第３者が該逆指値値を一応札単位上回るか、又はそれ以上の値幅内にある時はその第三者の先頭値に一応札単位を減じて落札することを、又逆指値値に達した時点で応札を停止することを唯一条件とした、逆指値内成行唯一条件注文プログラムであって、請求項３、請求項４、請求項８ないし請求項１０、請求項１５又は請求項１９の何れかの請求項記載の競合商取引方法用プログラム。
【請求項２１】
請求項１、請求項２、請求項５ないし請求項７の何れかの請求項記載の競合商取引方法において用いられる、諸外国とメールを受信、送信、返信する翻訳機能付諸外国間メール処理プログラムであってメールを受信するステップと、受信メールの外国語を自動送り出しクリックボタンにて送り出し、クリック選択する受信外国語選択ステップと、メールを日本語に変換する翻訳処理機能と該翻訳されたメールを表示するステップと、日本語で記載されたメールを相手国外国語に翻訳する翻訳処理機能と、相手先のメールアドレスをメールアドレスボックスに書き込むステップと、翻訳されたメールを相手国に送信指示する送信指示ステップと、受信メールを保存処理する保存処理ステップと当該保存メールアドレスをメールアドレスボックスに転送する転送書き込みステップとから構成されることを特徴とした翻訳機能付諸外国間メール処理プログラムを有する、請求項３、請求項４、請求項８ないし請求項１０、請求項１５、請求項１９又は請求項２０の何れかの請求項記載の競合商取引方法用プログラム。
【請求項２２】
請求項１又は請求項２記載の競合商取引方法において用いられる、出品商品の複合条件を登録データ化する売り手商品情報登録データ化手段の細分プログラムであって、当該売り手商品が、車輌等にあってはそのキズ、ヘコミ、破損箇所の有無を有する「商品価値を決定する最重要ファクター」をコンピュータマーク処理して、登録条件表示ケ所に各々カーソルボックス表示手段として定位させるキズ、破損マーク等定位手段と、当該キズ、破損マーク等を定位置よりマウス等操作によるカーソル指示により前記期待マークを車輌平面図の必要箇所に移動固定するキズ、ヘコミ等マークカーソル移動固定手段と当該固定マークをマウス等のクリック操作により拡大、又は縮小するキズ、破損マーク等拡大縮小手段とにより構成されたことを特徴とする売り手商品情報登録データ化手段の細分プログラムを有する、請求項３、請求項４、請求項８ないし請求項１０、請求項１５、請求項１９ないし請求項２１の何れかの請求項記載の競合商取引方法用プログラム。
【請求項２３】
請求項１又は請求項２記載の競合商取引方法において、売り手、買い手等価参入対比型複合条件商品競合商取引方法の表示手段であって、当該請求項のプログラム表示中央の価格を主体とした価格連鎖帯を車輌等の年式に置換し、当該商取引の主たる出品形体を価格帯より年式帯に置換したことを特徴とする年式主体売り手買い手等価参入対比型複合条件商品競合商取引方法であって、請求項１、請求項２、請求項５ないし請求項７、請求項１４、請求項１６又は請求項１８の何れかの請求項記載の競合商取引方法。
【発明の詳細な説明】
【技術分野】
【０００１】
本発明は、競合商取引方法に関し、更に詳しくは、売り手と買い手が等価に参入し、条件を対比する型の、複合条件を有している商品の競合商取引方法に関する。更に、本発明は、一般的にオークション市場と呼ばれる競合商取引市場に関するものである。最近では買い手主体の逆オークションという手法も知られているが、本発明に於いては、多くの条件を備えた商材を売り手、買い手が、同じ土俵に乗る双方向等価型のオークション市場を、インターネット回線を利用してアクセスして商うことのできる競合商取引市場の提供に関する。
【背景技術】
【０００２】
競合商取引一般にオークションと呼ばれる商取引には車輌等、車種、年式、走行距離、キズ・ヘコミの有無、色、タイヤの状態、エンジンから装備まで複合的な条件が多くいわゆる一般ユーザーがそこに参加することは不可能に近かった。
【０００３】
確かに、日本オートオークション株式会社が、１９９８年に取得した特許により電気通信回線を通じて、多くの業者が国内外を問わず端末スクリーンに表示された車の写真と各種条件を見てスタート合図で端末接続押しボタンを押すオークションシステムも広く知られている。しかし、これもやはりプロの業者が同業者に高いハードル条件を付して会員登録して貰い、器材を貸与する等して運営しているものである。
【０００４】
又、ＪＵと呼ばれる同業者組合様のものも存在し、技術的には会員が指定会場に車輌を持込み、査定官が査定をし、必要書類に条件状態等を書き込んだものをオークションに参加する、やはり同業者に配布し会場内にあるスクリーンに当該出品車輌等を配布資料順に写し出しスタートの合図とともに各自指定番号テーブルに設置された押しボタンを押して競りに参加し、最高値を押した参加者に落札される手法である。
【０００５】
又、最近ではインターネットの普及により、インターネット回線を通じたオークションも普及している。例えば、検索エンジン最大手のＹＡＨＯＯが主催するＹＡＨＯＯオークションでは、業者、一般ともに対象車輌の写真、各種条件を添えて、期限を決め、又スタート値を決めて当該期限内に応札した応札者の最高値を付けた者が落札するという手法が知られている。
【０００６】
又、衛星通信回線を利用したグローバルなオークションシステムもＵＳＳにより実施されているが、やはりこれも業者に対するサービスを主眼にした押しボタン式のいわゆるリアルタイムオークションが主流である。
【０００７】
しかし、上記オークションシステムには次のような課題が存在する。およそ商には売り手の存在と買い手の存在の２つのポジションが存在する今までのオークションは、通常のオークションにせよ、逆オークションにせよ、この２つのポジションの一方にしか対応していない。両者が一市場に会し、当該２つのポジションが両方向より同次元で取引できれば最大効果効率が発生する筈である。
【０００８】
又、一会場に集まって行なうオークションには遠方よりの参加者へ多大な経済的、労力的犠牲を強いることになり、本当に限られた人々しか参加できない。
【０００９】
又、電気通信回線を使用する機械式のオークションシステムについて見れば、やはり出品物を会場に搬入する手間と時間がかかり、又、複合的な条件が多くある車輌等にあっては、いわゆるプロフェッショナルな人々がその情報を記載する必要があり、多くのオークション会場が業者のみの参加に限定している現状は、そのことを如実に示すと共に入会資格、入会金、登録料、機械使用料、出品料、成約料等々かなりの高額となり、又、数十万から百万円を越える保証金を支払わなければならない市場、組合もあり、これでは一般ユーザーの参加はほぼ期待できない。
【００１０】
又、技術的にも車輌のオークションにあっては、一オークションが数秒から十数秒で終わることがほとんどであり、押しボタンを押して自分の好きな車輌を自分の予算に応じて落札するのはテクニック的にも市場相場の知識的にも不可能に近い。
【００１１】
又、前記市場相場については旧来より業者が使用するいわゆるレッドブックと呼ばれる小冊子が毎年出版されている。これがいわば業者の虎の巻的な存在であるが、一般ユーザーには勿論知る人も少なく、又、本来相場とは日々刻々の需要と供給のバランスで変化するものであるから、当様相場小冊子が実際の中古車市場の実勢相場を反映しているか甚だ疑問である。
【００１２】
又、インターネットを利用したオークションにあっては、落札者がお金を送金したにも拘らず商品が届かなかったとか、まったく似ても似つかないものが届いた等のトラブルが多発しており、このような中、車輌等の複合的な条件を持ち且つ高額な商品であること、又、動力機械であるから故障なくよく走ってくれなければ意味がないのであるから、その課せられた課題は実に多技に渡り、このことが、車輌オークションが一般に浸透しない主なる要因にもなっていた。又、業者のビジネス専科的なオークション会場には何らの趣向も凝らされていない。
【００１３】
複合条件具備型の商品に於ける競合商取引モデルである例えば中古車のオークションシステムにあっては、現在電気通信回線を利用したリアルタイム押しボタン式のいわゆる価格つり上げ方式のオークションが知られている。又、インターネット回線を利用したオークション市場で写真や始値、期間等々を提示して、その期間に最高値を提示した者が落札するシステムが知られている。しかし、前者にあっては高い入会金や業者経験何年以上、推薦人の有無、高額保証金や成約料といった高い入会金、運用ハードルが存在する。又、出品時の書類の書き方、車の搬入、オークション機器の使い方、車の評価価値等々、素人の参入の余地はほとんどない。又、インターネットによるものは簡単な手続き、コストにより参加できるが、中古車のように高額商品にたいしてその品質や支払いへの信頼性を持つことはなかなか難しかった。
【発明の開示】
【発明が解決しようとする課題】
【００１４】
従って本発明の目的は上記した諸々の不具合を解決し、世界中の人々が売り手も買い手も一堂に会して、より安価により合理的に且つ安心して多くの選択肢の中から自己端末よりアクセスして当該オークションに参加し、でき得るならばそこにエキサイティングな感情的喜びもかもし出せるような楽しいオールマイティーな車輌等のインターネットオークション市場を提供することにある。
【課題を解決するための手段】
【００１５】
本発明者は、上記の課題を解決すべく鋭意検討を重ねた結果、売り手、買い手の取引条件をより複合的な条件において管理、選択、運営することが可能な商取引方法、プログラム等を開発することによって、従来のオークションにない効率性、国際性、時間の短縮等が改善されることを見出して、本発明を完成するに至った。
【００１６】
すなわち、本発明は、［１］複数の条件を備える商品を所有する複数の売り手と、商品の購入を希望する複数の買い手が、インターネットサーバ回線を通じて接合され、商品を競合的に取引する、複合条件商品の競合商取引方法であって、
（１）商品のカテゴリー群の項目の表示手段と、その各々のカテゴリーに付帯したディテイルの表示手段と、ディテイルを検索することによりカテゴリー群が連係表示されるようにしたカテゴリー群連係表示手段と、を有する表示機能を備え、
（２）売り手が所有する商品の複合条件を入力する手段と、買い手が希望する商品の複合条件及び／又は「価格若しくは価格帯」を入力する手段と、当該複合条件が入力された商品の価格を価格帯に振り分ける手段と、価格帯を高い順又は安い順に並び替えをする手段と、価格帯を高い順又は安い順に表示する手段と、買い手が価格帯を選択するとその価格帯に分類されている一人の又は複数の売り手が所有する一の又は複数の商品のそれぞれの複合条件が出力される出力手段と、を有する登録情報入出力機能と、
（３）売り手が所有する商品の複合条件を買い手が知るために、買い手の自己認証ＩＤコードナンバー及びパスワードを入力する手段と、
（４）登録情報入出力機能により開示された、売り手と買い手の登録情報に合意して契約処理がなされたことを入力する手段と、
を具備したことを特徴とする競合商取引方法、を提供することにある。
【００１７】
また、本発明は、［２］個々総合的な条件を備える商品を所有する複数の売り手と、該商品の購入を希望する複数の買い手が、インターネット回線を通じて接合され該商品を競合的に取引する統合的プログラムによる競合商取引方法であって、該商品の生産国、物品の種類、メーカー、呼称、型式、生産年等からなるカテゴリー群のデータベースと、その各々に付帯したディテイル検索手段と、一・二の該ディテイル検索手段の確定によりカテゴリー群が連係表示されるようにしたカテゴリー群連動表示処理手段とからなるカテゴリー表示機能を備え該商品の取引を希望する売り手又は買い手として前記サーバ回線の会員登録する会員登録手段と、該登録を記録データとする記録データ手段と、各自が所有する該商品の複合条件を登録データ化する売り手商品情報登録データ化手段と該商品の購入希望者が、その複合条件を記録登録する買い手条件登録手段と、当該複合条件を伴って登録された商品を区分けされた価格帯が連鎖表示されてなる価格連鎖帯を挟んで、当該価格連鎖帯にシンクロして対向した売り手、買い手の各希望価格帯に価格順列的に振分けて登録処理するカテゴリー価格順列振分け登録手段と、当該振分けられた売り手の複合条件を両者登録会員が自己認証ＩＤコードナンバー及びパスワードを使用して、コンピューター端末より当該インターネットサーバ回線にアクセスして上記相手方価格帯をカーソルクリックして登録情報を開示させる登録情報開示手段と、ＩＤコード化した前記各売り手買い手の登録情報を登録情報開示手段により開示された諸条件に合意し、契約処理を行う契約処理手段を具備したことを特徴とする、インターネットサーバ回線を使用した売り手買い手等価参入対比型複合条件商品競合商取引方法、を提供することにある。
【００１８】
また、本発明は、［３］上記の競合商取引方法に用いられるプログラムであって、商品のカテゴリー群の表示手段、ディテイルの表示手段、及び、カテゴリー群連係表示手段を有する表示機能；
売り手が所有する商品の複合条件を入力する手段、買い手が希望する商品の複合条件及び／又は「価格若しくは価格帯」を入力する手段、当該複合条件が入力された商品の価格を価格帯に振り分ける手段、価格帯を高い順又は安い順に並び替えをする手段、価格帯を高い順又は安い順に表示する手段、及び、買い手が価格帯を選択するとその価格帯に分類されている一人の又は複数の売り手が所有する一の又は複数の商品のそれぞれの複合条件が出力される出力手段を有する登録情報入出力機能；
並びに、登録情報入出力機能により開示された売り手と買い手の登録情報に合意して契約処理がなされたことを入力する手段が記載されたことを特徴とする競合商取引方法用プログラム、を提供することにある。
【００１９】
また、本発明は、［４］上記の競合商取引方法を基本構成とするインターネットサーバ回線を使用した、売り手買い手等価参入対比型複合条件商品競合商取引のプログラムであって、本発明請求項１のカテゴリー表示機能と売り手商品情報登録データ化手段、及び買い手希望商品情報である買い手条件登録手段のデータベースに、該売り手買い手の希望選択ファクターをカテゴリー化して表示しその中から希望ディテイルカテゴリ−を選択処理する、希望ファクター包含商品選択スクリーニング手段を設けたことを特徴とする取引条件スクリーニング機能付売り手買い手等価参入対比型競合商取引プログラム、を提供することにある。
【００２０】
また、本発明は、［５］上記の競合商取引方法を実行する前に、更に、下記（Ａ）及び（Ｃ）を選択肢として加え、下記（Ａ）、（Ｂ）及び（Ｃ）の競合商取引方法の中から選択された方法を入力する手段を有することを特徴とする上記の競合商取引方法、を提供することにある。
（Ａ）売り手が、取引希望価格を指値とし、その指値に応札した最初の買い手に購入する権利を付与する競合商取引方法
（Ｂ）上記の競合商取引方法
（Ｃ）売り手が、一の商品の取引希望価格帯を指定し、その価格帯がスタートラインとして表示され、ある一定期限毎に開始され、登録会員の誰もが競合入札を行なうことができる競合商取引方法
【００２１】
また、本発明は、［６］上記の競合商取引方法において、売り手と買い手が互いの登録情報に合意するに際して、下記の（イ）及び（ロ）の選択を入力する手段を有する上記の競合商取引方法、を提供することにある。
（イ）ある一定期限内に買い手がいない場合は、その下位の価格帯に自動的に移行するか、商取引をキャンセルするかの選択
（ロ）最も高い価格若しくは価格帯を選択した買い手が複数いる場合は、自動的に上の価格帯に移行するか、複数の買い手から売り手が任意に一人を選ぶかの選択
【発明の効果】
【００２２】
本発明によれば、自分の取引対象とする商品が、価格、年式等に振分けられることにより売り手、買い手の需給バランスが一目で見て取れること、さらに今までのオークションシステムのように、登録画面、条件入力画面、オークション画面、商品の表示手段等、目的に応じていちいち画面を変換する必要がなく、メインプログラム画面からの取引操作が可能なようにプログラムされ、その操作性、利便性がすこぶる良くなるので、ネットオークションにおける効率性に優れた競合商取引方法を提供することができる。
【００２３】
本発明に係るインターネットサ−バー回線を利用した競合商取引方法によれば以下の各項の効果を発生する。
【００２４】
［Ａ．商取引基本ファクターである売り手、買い手の双方向からの平等（＝等価）な商取引参加による集約的市場の発生効果］
ビジネスの基本中の基本は売り手と買い手の存在である。また、より早くより効率的に売り買いしたいというのも商売の基本中の基本である。本発明は従ってそれらをインターネットサーバープログラム回線として上記両者が双方向よりアピールし合えば理論的に２つの市場が合体した効果を持つ。また、インターネット回線故にその効果が個人、法人、国内外を問わず実践されるという世界マーケットとしての相乗効果も発生する。
【００２５】
［Ｂ．複合条件商材の合理的評価、対比化手段の提供による効果］
また、商品には本発明の実施例として記載している中古車の競合商取引のように車という複合条件を備えた商材も多々存在する。この時それらの評価方法等は一般の人々には難しくこの業界の閉鎖性につながっていた。また、個人の趣向等の心理的要因も働いて、すこぶる難しい。しかし本プログラム方法によれば商品カテゴリ、アイテム毎に売り手、買い手が本発明に関わる、売り手、買い手価格対向型、価格順列振り分け登録手段に集合し、各条件を提示し合って簡便なコンピューター端末操作でお互いの情報を入力し、また、取得し契約できるようにした効果がある。
【００２６】
［Ｃ．メカトロニクスを駆使した操作性規格化による効果］
発明者が常々感じているのは、インターネットサーバー回線を利用した商取引の利便性に関する疑問である。インターネット株取引や外国通貨取引、その他オークション等々にあって各社独自のプログラムを提供し、そのプログラムを理解する為に掛かる時間である。また、その操作性も色々な画面に飛ぶ必要があったりと、かなり手間取る場合が多い。本発明プログラムはログイン後のメイン画面上のカーソル操作により全ての登録、取引、情報収集、メールのやり取りが可能なようにプログラムされている。その為に既存上記コンピューター取引手法のプログラムに比べ各市場ユーザーに対し格段の操作性と利便性を与えておりあたかも競合商取引業界に於けるスタンダードプログラムの如く提供できる効果がある。
【００２７】
［Ｄ．高コミュニケーション性による効果］
本発明の特異性と高アピール性の一つは本発明請求項に記載した通り外国に居住する商売相手とのコミュニケーションの利便性であり、本発明プログラムにより、各取引毎に設定されたメール送、受返信即応一体型自動翻訳手段により、相手国の言葉に変換して送信し、また、来たメールを日本語に翻訳表示するプログラム手段を持つのであるから今後の益々の国際化の商取引の必須アイテムとなり得る効果がある。
【００２８】
［Ｅ．インターネット商取引に於ける信頼性確保による効果］
インターネット商取引において一番不安なものは買い手が送金したにも関わらず商品が送られてこないという詐欺的手法が多発することである。これらを防止する為に本発明請求項9の如くのサーバー顧客口座処理による販売代金物品交換システムを開発し実施する。本発明ではサーバー保障型取引代金／物品交換処理方法というにより安心して取引を実施できる。
【００２９】
［Ｆ．商取引基本条件の選択性による効果］
競合商取引にあって現在行われている取引のほぼ全てが取引条件は予め設定されており、同様の様式市場の取引にあっても、一取引につき自己の取引条件を設定することは可能であるが、商取引単体を予めスクリーニングして表示させ、そこに参加するプログラムはなく本発明請求項２に於いてクレイムした通り先取条件、スタート値決定、値幅の補正条件、リアルタイムオークション条件、指値、逆指値唯一条件注文等取引基本条件を選択できる効果がある。
【００３０】
［Ｇ．リアルタイムオークションに於ける注文操作の利便性とゲーム感覚臨場感による効果］
本発明説明図１０に表示するようにリアルタイムオークションはオークションスタートまでの時間の表示がデジタル残分秒を示し、また、コンピュータースタート表示アナログ時計は、本発明実施例の例えば６秒前より動き始め音声表示も多用する。始まる競合第三者の競り値が電子表示され、また、自己の競り値が該第三者の価格帯と隣接して表示されるプログラムによりその感覚的な臨場感は今までのオークションでは期待できない。また、落札に成功するとコンピューター映像花火が音声表示とともに打上げられるというゲーム感覚にも似た満足感を参加者に与える。また、注文取消し、キャンセル等の各機能はあくまでも分かりやすく構成されており、今までのインターネットの競合商取引を一新する効果がある。
【００３１】
［Ｈ．指値内成行、逆指値内成行唯一条件オークションシステム効果］
また、本発明では請求項１９、２０に記載するように、今までのオークションシステムにない規定条件を設けることにより、一オークションに掛かる時間が一、二秒で済み、一日に何百、何千ともなる膨大なオークション出品点数をかかえるような例えば中古車オークションのような市場に対し、大幅な時間短縮をもたらすとともにリアルタイムオークションのもつ、競り合っている内に参加者本人が決めた予算をオーバーしたり、機械操作のミスを起こして買えなかったり売れなかったりというような諸々のミスを回避する効果がある。
【００３２】
［Ｉ．現実実勢相場を罫線表示することによる効果］
例えば、本発明のサンプルケースである中古車の業界には相場ブックというものがある。一般にはレッドブックと呼ばれるものだが、毎年出版されるもので現実の相場を表わすものではなく、あくまでも参考に過ぎない。相場というものはあくまでもその時々の需給バランスにより日々刻々変化するものであり、国内はもとより世界中の業者、ユーザーが参入する本発明プログラムにあっては日々の現実、実勢相場の罫線を表示、提供できるのであるから車等に関心のある世界中の全ての人々にとって最良の指針となる効果がある。
【００３３】
［Ｊ．証券化による効果］
本発明請求項１７のプログラムによれば今までただの物品の売り買いとしてのオークション市場に証券化という現実の物品の直接的な移動を伴わない条件システムを創出するのであるから、現在巷にありふれる中古車業者のホコリを被った何十万、何百万という車が証券という金融商品に転換され現金として市場に流出するものであるからその経済効果は計り知れない。
【００３４】
［Ｋ．一般ユーザーが参加することによる市場拡大による経済効果］
本発明プログラムの普及は、結局は現在行われている商取引自体の大改革をもたらしあらゆる商取引に於いてあたかも血栓の如く流れを阻害していたあまたの中間取引業者を排除し、ユーザーとユーザーが直接的に万物を取引できる為、物流、経済のスピードがそれらの中間マージンの排除により大幅に加速される効果を持つ。
【００３５】
従って、本発明によると、コンピュータープログラム化と世界中の車愛好家や業者もパソコン端末をたたくのみで、入金、登録、売買参加、支払い、物品の受取までできる簡単かつ世界標準的なインターネットサーバー回線による、売り手買い手が同じ土俵で両者メリットを追及できる双方向等価対比型のオークションシステムの提供ができる。
【発明を実施するための最良の形態】
【００３６】
以下、本発明について説明するが、本発明は以下の実施の具体的形態に限定されるものではなく、本発明の趣旨の範囲内では任意に変形することができる。
【００３７】
＜前記発明［１］、［２］について＞
本発明の競合商取引方法は、インターネットサーバ回線を使用して、売り手と買い手とが等価参入し商品を対比して、複合条件を有する商品を競合して商取引をする方法であり、少なくとも、下記の要件（１）を満たすものである。
（１）複数の条件を備える商品を所有する複数の売り手と、商品の購入を希望する複数の買い手が、インターネットサーバ回線を通じて接合され、商品を競合的に取引する競合商取引方法であって、
商品のカテゴリー群の項目の表示手段と、その各々のカテゴリーに付帯したディテイルの表示手段と、ディテイルを検索することによりカテゴリー群が連係表示されるようにしたカテゴリー群連係表示手段とを有する表示機能を備えている。
【００３８】
「競合商取引方法」とは、複数の売り手と買い手が、各自の希望条件の下で競合して商品の取引を行う方法をいう。
【００３９】
本発明中の要件（１）中の用語を、商品として自動車を例にとって説明する。「商品のカテゴリー群の項目」とは、例えば、商品の種類、車種、生産国、メーカー、呼称、型式、生産年、色、ハンドルの位置（右ハンドルか左ハンドルか）、マニュアルかオートクラッチか、走行距離、キズの有無、事故経験の有無等の項目をいう。
【００４０】
「ディテイル」とは、例えばカテゴリーが「キズの有無」の場合は、そのキズの位置、程度、数等の詳しい状況をいい、必要ならば写真、図面等で示したものをいう。また、「ディテイルを検索することによりカテゴリー群が連係表示されるようにしたカテゴリー群連係表示手段」とは、例えば、カテゴリーとして「車種」を入力すると、それに連係してカテゴリー「生産国」として、「日本」と表示されるようなことをいう。
【００４１】
本発明の競合商取引方法は、更に下記の要件（２）を満たすものである。
（２）売り手が所有する商品の複合条件を入力する手段と、買い手が希望する商品の複合条件及び／又は「価格若しくは価格帯」を入力する手段と、当該複合条件が入力された商品の価格を価格帯に振り分ける手段と、価格帯を高い順又は安い順に並び替えをする手段と、価格帯を高い順又は安い順に表示する手段と、買い手が価格帯を選択するとその価格帯に分類されている一人の又は複数の売り手が所有する一の又は複数の商品のそれぞれの複合条件が出力される出力手段と、を有する登録情報入出力機能とを有する。
【００４２】
要件（２）において、「商品の複合条件」とは、商品の複数のカテゴリー及び複数のディテイルをいう。本発明は、売り手が希望する価格帯を、価格が高い順又は安い順に表示する手段を有している。買い手による「希望する商品の複合条件」を入力する手段を有し、その複合条件に合致した商品について、表示された売り手の提示する価格帯を選択入力するか、更に買い手が希望する具体的価格を入力する手段を有する。売り手の指値に応じる場合等、価格を指定する必要がない場合はその旨を入力する。
【００４３】
「登録情報入出力機能」とは、売り手の商品の複合条件が入力されたものを買い手に開示する手段、及び、買い手の希望する複合条件が入力されたものを売り手に開示する手段をいう。ここで、「登録情報」には商品の価格帯や具体的価格も含まれる。
【００４４】
一人又は複数の買い手が入力した「買い手が希望する商品の複合条件」及び／又は「『買い手の希望する価格』若しくは『売り手が設定した価格帯から買い手が選択した価格帯』」を、売り手は見て自己の商品を売るかどうか、複数の買い手があるときには誰に売るかを決めることができる。
【００４５】
本発明の競合商取引方法は、更に下記の要件（３）を満たすものである。
（３）売り手が所有する商品の複合条件を買い手が知るために、買い手の自己認証ＩＤコードナンバー及びパスワードを入力する手段を有する。
【００４６】
買い手の、自己認証ＩＤコードナンバー及びパスワードを入力する手段を必要とするのは、情報開示を登録者全員に限定している為、他の登録者の情報に対しても管理責任を負うことを認識してもらうためである。更に、売り手の自己認証ＩＤコードナンバー及びパスワードを入力する手段も有していることが、同様に情報の管理責任を負うことと商品に対する責任を認識する点で好ましい。
【００４７】
本発明の競合商取引方法は、更に下記の要件（４）を満たすものである。
（４）売り手と買い手の登録情報を、登録情報開示手段により開示された諸条件に合意して契約処理がなされたことを入力する手段を有する。１個の商品につき複数の買い手がある場合があり、売り手はそのうちの一人を選択して契約処理を申し込むことができる。
【００４８】
本発明［１］、［２］の競合商取引方法の特徴となる機能、手段のフローチャートを図１４及び図１５に示した。
【００４９】
＜前記発明［３］、［４］について＞
本発明の競合商取引方法に用いられるプログラムとは、上記の競合商取引方法に用いられるプログラムであって、
商品のカテゴリー群の表示手段、ディテイルの表示手段、及び、カテゴリー群連係表示手段を有する表示機能；
売り手が所有する商品の複合条件を入力する手段、買い手が希望する商品の複合条件及び／又は「価格若しくは価格帯」を入力する手段、当該複合条件が入力された商品の価格を価格帯に振り分ける手段、価格帯を高い順又は安い順に並び替えをする手段、価格帯を高い順又は安い順に表示する手段、及び、買い手が価格帯を選択するとその価格帯に分類されている一人の又は複数の売り手が所有する一の又は複数の商品のそれぞれの複合条件が出力される出力手段を有する登録情報入出力機能；並びに、
登録情報入出力機能により開示された売り手と買い手の登録情報に合意して契約処理がなされたことを入力する手段
が記載されたことを特徴とする競合商取引方法用プログラムをいう。
【００５０】
「複合条件」とは、売り手が所有する商品が自動車であった場合に、カテゴリー（種類、車種、生産国、メーカー、呼称、型式、生産年、色、ハンドルの位置（右ハンドルか左ハンドルか）、マニュアルかオートクラッチか、走行距離、キズの有無、事故経験の有無）及び、ディテイル（キズの有無の場合にキズの位置、程度、数等の詳しい状況）を加えた条件をいう。
【００５１】
「価格帯」とは、その価格が含まれる価格の幅をいう。たとえば価格が１５０万円の場合、その価格帯は１００万円から２００万円となる。
【００５２】
「価格若しくは価格帯を入力する」とは、商品の買い手が希望する購入価格を入力すること若しくは購入可能な価格の幅を選択し入力することをいう。
【００５３】
「価格を価格帯に振り分ける」とは、価格が複数の価格帯のいずれに含まれるかを判断し、適切な価格帯を選択し、指定することをいう。
【００５４】
「売り手と買い手の登録情報に合意して」とは、入力された商品の価格又は価格帯及び複合条件の中で、売り手の希望する販売条件と買い手の希望する購入条件が合致した商品が選択され、その商品の選択が適切であることを、売り手と買い手双方が同意することをいう。購入条件が合致した商品の選択は、本発明の競合商取引方法におけるプログラムによって自動的になされても、売り手が買い手の複合条件を見て売りたい人を選んでもよい。
【００５５】
上記のプログラムをいい換えると、すなわち、前記の競合商取引方法を基本構成とするインターネットサーバ回線を使用した、売り手買い手等価参入対比型複合条件商品競合商取引のプログラムであって、本発明請求項１のカテゴリー表示機能と売り手商品情報登録データ化手段、及び買い手希望商品情報である買い手条件登録手段のデータベースに、該売り手買い手の希望選択ファクターをカテゴリー化して表示しその中から希望ディテイルカテゴリ−を選択処理する、希望ファクター包含商品選択スクリーニング手段を設けたことを特徴とする取引条件スクリーニング機能付売り手買い手等価参入対比型競合商取引プログラムである。
【００５６】
本発明［３］及び［４］の競合商取引方法用プログラムの特徴となる機能、手段のフローチャートを図１６及び図１７に示した。
【００５７】
＜前記発明［５］、［６］、「７」について＞
本発明の競合商取引方法は、
［５］  上記の競合商取引方法（Ｂ）を選択するに先立ち、下記（Ａ）及び（Ｃ）を加えた、下記（Ａ）、（Ｂ）及び（Ｃ）の競合商取引方法の中から選択された方法を入力する手段を有することが好ましい。
（Ａ）売り手が、取引希望価格を指値とし、その指値に応札した最初の買い手に購入する権利を付与する競合商取引方法
（Ｂ）上記の競合商取引方法
（Ｃ）売り手が、一の商品の取引希望価格帯を指定し、その価格帯をスタートラインとして表示し、ある一定期限毎に開始され、登録会員の誰もが競合入札を行うことができる、インターネットサーバ回線を利用したリアルタイム競合商取引方法
【００５８】
「指値」とは、売り手が商品の取引希望価格として提示した価格をいう。「応札」とは、売り手の提示する取引希望価格、指値での商品の購入の意思表示を示すことをいう。「競合入札」とは、複数の買い手が提示された価格帯での商品の購入の意思表示を示すことをいう。
【００５９】
本発明［５］の競合商取引方法の特徴となる機能、手段のフローチャートを図１８に示した。
【００６０】
本発明の上記競合商取引方法は、
［６］  更に、以下の手段を有することが好ましい。すなわち、売り手と買い手が互いの登録情報に合意するに際して、下記の（イ）及び（ロ）の選択を入力する手段を有する競合商取引方法が好ましい。
（イ）ある一定期限内に買い手がいない場合は、その下位の価格帯に自動的に移行するか、商取引をキャンセルするかの選択
（ロ）最も高い価格若しくは価格帯を選択した買い手が複数いる場合は、自動的に上の価格帯に移行するか、複数の買い手から売り手が任意に一人を選ぶかの選択
【００６１】
ここで、「自動的に移行」とは、前もって複数の価格帯が設定され、価格帯の順位が設定されていた場合において、売り手より提示された価格帯では商取引が成立しない場合は、下位の価格帯に自動的に移行し、新たな商取引を行うことをいう。同様に、提示された価格帯では買い手が複数で商取引が成立しない場合に、より上位の価格帯に自動的に移行し、買い手との間で新たな商取引を行うことをいう。「選択」とは、複数の選択肢の中から一つを選ぶことをいう。
【００６２】
本発明［６］の競合商取引方法の特徴となる機能、手段のフローチャートを図１９に示した。
【００６３】
［５］と［６］はいい換えると、すなわち、
［７］  前記の競合商取引方法において、売手商品情報登録データ化手段に、売り手側商品取引条件項目を設けた取引条件選択可能型競合商取引方法であって、本条件を仮にＡ，Ｂ，Ｃと設定した時、仮にＡを固定指値としその取引希望価格に応札した最初の買い手に購入する権利を付与し、また、仮にＢをある価格帯ａ〜ｅの内の値幅であって、ある一定期間内に於ける最高値応札者に落札する値幅、期間制限型の競合商取引とし、また、該Ｂ条件にあっては期限内に応札者が誰もいない場合は、その下位の価格帯に自動的に移行するか、商取引をキャンセルするかの条件を付与し、また、逆に値幅制限に至っても尚且つ競合者が多数ある場合は、自動的に上の価格帯に移行するか、又は最高値制限幅に応札した者の中から売主が任意に選択するか機械的に選択するかの条件を規定した変則補正条件処理手段と、また、仮にＣはある価格帯ｆ〜ｊの売り手指値をスタートラインとした価格を表示しある一定期限毎に開始される本発明に係るインターネットサーバ回線の端末より、本サーバー登録会員の誰もが競合入札を行なうことを条件とする、リアルタイム競合商取引手段とを具備したことを特徴とする、取引条件選択可能型競合商取引方法である。
【００６４】
上記本発明［７］の競合商取引方法の特徴となる機能、手段のフローチャートを図２０に示した。
【００６５】
＜発明［８］、［９］について＞
本発明の前記競合商取引方法に用いられるプログラムも本発明の１態様である。すなわち、
［８］  更に、本発明の上記競合商取引方法の中の（Ｃ）の競合商取引方法に用いられるプログラムであって、商品の映像と出品番号を表示する手段、時計表示手段、買い手がＩＤコードナンバー及びパスワードを入力する手段、リアルタイム競合商取引の表示手段、及び、応札反応処理手段が記載されたことを特徴とするリアルタイム競合商取引方法用プログラムも好ましい。
【００６６】
「商品の映像」とは、商品の外観等の表示をいう。「応札反応処理手段」とは、複数の買い手による商品の応札に反応し、応札を処理する手段をいう。
【００６７】
本発明［８］の競合商取引方法用プログラム（その対象である競合商取引方法の中の選択肢（Ｃ）に用いられるプログラム）の概略を図２１に示した。
【００６８】
更にまた、発明［９］すなわち、
［９］  上記［５］又は［７］の取引条件選択可能型競合商取引方法条件Ｃであって、前記競争原理応札を当該インターネット回線の端末より参加する、リアルタイム競合商取引に使用するコンピューター表示画面に関するプログラムであって、最上部に取引前の商品映像を映し出す商品映像表示手段と出品番号を表示する出品番号表示手段とアナログ型デジタル時計により競合商取引数秒前より表示するコンピューターアナログ時計を配し、該アナログ時計が取引スタート時に「スタートします」と発声するようにプログラムされ４秒前からピッピッピッポー、とスタートを音声表示するようにしたコンピューター時計手段と、一直線にのびる価格表示板に平行に並んだ２本の価格電光表示帯が端末競合商取引参加会員の応札反応を受付けて、該価格電光表示帯の一方を価格毎に細区分された電光表示帯を光学的に押上げ、又は押下げる応札反応処理手段と他方ＩＤコードナンバー及びパスワードを付与された登録会員がコンピューター端末を使用して参加した時に反応する前記機能を有する応札反応処理手段とから構成されることを特徴とするリアルタイム競合商取引コンピュータープログラムも好ましい。
【００６９】
＜発明［１０］、［１１］、［１２］について＞
また、［１０］前記の競合商取引方法に用いられるプログラムであって、上記［６］の（イ）と（ロ）の選択を入力する手段、デジタル数値化した商品の表示手段、商品の価格帯を高い順又は安い順に表示する手段、カテゴリーに付帯したディテイルの表示手段、商品をスライド、拡大表示する手段、及び、新たな商品の自動更新手段が記載されたことを特徴とする商品開示プログラムが好ましい。
【００７０】
「デジタル数値化した」とは、商品をデジタル数値で表示することをいう。「スライド、拡大表示」とは、商品をより見やすいスペースに移動させ、サイズを拡大し画面に表示することをいう。「自動更新手段」とは、新たな商品に関する情報を、自動的に更新する手段をいう。
【００７１】
上記本発明［１０］の商品開示プログラムの特徴となる機能、手段のフローチャートを図２２に示した。
【００７２】
また、［１１］売り手商品情報及び買い手条件等の情報の入出力機能を有するサーバと、通信回線を介して接続された複数の端末コンピューターに接続され、登録情報の中から買い手の価格等の条件に対応し振り分け、並び替え、表示された競売対象の商品に対して応札するための入力手段と、売り手、買い手の自己認証ＩＤコードナンバー及びパスワードを登録する手段と、契約処理手段とからなり、サーバが競売を開始後応札者がいない場合に、価格帯を下位の価格帯に自動的に移行するか商談をキャンセルするか、あるいは複数の競合者がいる場合は、自動的に上位の価格帯に移行するか、任意に買い手を選択するかの何れかの処理を自動選択すべく売り手が補正条件を入力できるように構成されていることを特徴とする前記の競合商取引方法を利用した競売システムであることが好ましい。
【００７３】
また、［１２］前記の発明［５］ないし［７］の競合商取引方法において、当該競合商取引がスタートする前に当該条件に関る商品を希望者に開示する開示プログラムであって、本発明［３］又は［４］の希望ファクター包含商品選択スクリーニング手段をカーソルクリックして表示されたスクリーニングカテゴリーの内の取引条件Ａ、Ｂ、Ｃの、本例ではＣをクリックすると当該カテゴリー商品の内Ｃ条件に関する登録商品が本発明請求項１の価格帯にデジタル数字として表示されるデジタル数値表示手段と、また、更に当該価格帯をクリックすると価格順列化されたＣ条件商品群が表示される価格順列表示手段と更にその個々の商品をクリックすると当該Ｃ条件商品ディテイルが表示される個別商品ディテイル表示手段と表示された登録商品をスライド移行させるスライド手段とそれら個々の登録商品を拡大表示させる拡大表示手段と、当該Ｃ条件商品が契約されると表示機能より消え、新たな当該商品に更新される自動更新手段からなるＣ条件該当商品開示プログラムも好ましい。
【００７４】
上記本発明［１２］の商品開示プログラムの特徴となる機能、手段のフローチャートを図２３に示した。
【００７５】
＜［１３］〜［２３］について＞
［１３］  本発明における買い手登録データの開示システムであって、前記［１］又は［２］の競合商取引において、買い手条件登録手段と、本登録情報を開示させる登録情報開示手段と、［１０］ないし「１２」記載の開示、スライド、拡大等の各手段機能を具備させたことを特徴とする買い手登録データ開示システムも好ましい。
【００７６】
［１４］  前記の［５］ないし［７］の競合商取引方法において、上記の取引手段にあるＡ、Ｂ、Ｃの各統合商取引の成果表示方法であって、それら競合商取引の数量と価格、平均値を時間、日、週、月、年度別に罫線、又はグラフ化する処理機能手段を具備したことを特徴とする取引手段と一体プログラム化された競合商取引成果表示方法も好ましい。
【００７７】
「成果」とは、商取引が成立し、契約締結に至った結果をいう。
【００７８】
［１５］  上記の［１］又は［２］の競合商取引方法において、売り手買い手等価参入対比型複合条件商品競合商取引方法に於いて、売り手、又は買い手の現在取引ポジショニングをその個々の取引について表示させるプログラムであって、売買どちらかを、或いはまた、その両方に登録した参加者が本発明インターネットサーバのホームページに固有ＩＤコードナンバー及びパスワードにてログインした時、上記の基本プログラム表示の最上部にグローバル表示されることを特徴とした登録価格、数量、現在取引条件、メールの有無及び該メールの数等の現在取引ポジショニングを表示させる現在取引表示プログラムも好ましい。
【００７９】
ここで、「現在取引ポジショニング」とは、現在の取引状況をいう。
【００８０】
［１６］  上記本発明に関る競合商取引が成立した時の買い手側の代金支払処理方法であって、車輌を取引した時に直接売り手に取引代金を振込むことなく本発明に係るインターネットサーバが各顧客用に設けた顧客口座手段と本発明に係るインターネットサーバスタッフ又は当該サーバの代理人が当該取引に係る車輌を確保、契約条件確認を行う取引車輌確保条件確認手段と当該確保条件確認後に当該サーバが前記売り主の指定振替口座に現金振込み処理する確認後現金振替処理手段とから構成されることを特徴とするサーバ保障型取引代金／物品交換処理方法も好ましい。
【００８１】
ここで、「インターネットサーバスタッフ」とは、本発明に係る競合商取引方法をインターネット上に提供している、提供者の従業員をいう。「サーバの代理人」とは、本発明に係る競合商取引方法のインターネット上に提供している提供者から依頼された代理人をいう。
【００８２】
［１７］  上記［１６］のサーバ保障型取引代金／物品交換処理方法において、サーバスタッフ、又はその代理人が取引車輌を確保条件確認して、サーバ所有又は契約保管場所等に当該車輌を保管し、サーバは買い手に保管証券を発行する証券化システムであって、買い手は当該証券を元手に再びサーバの該競合商取引方法に売り手として該証券化された車輌を出品登録して取引を実行し、買い値以上の売り値を付して市場利益を追求する車輌の証券化に伴う商取引方法であって、当該車輌保管証券取引を実行し、更にまた、当該証券購入者は当該証券に裏書登録することができる裏書処理手段とによって新規証券保持者となり、同様の行為を継続することを特徴とした本発明サーバ方法による車輌等保管証券取引システムも好ましい。
【００８３】
［１８］  前記［１７］のシステムにおいて、証券化された保管車輌を占有証券と所有証券に分離する証券権益分離方法であって、例えば占有証券所有者はレンタル権を、所有証券所有者は販売権を付与されるビジネス方法であって、当発明に係るインターネットサーバは前記両者より保管料や仲介手数料を取得することを特徴とする車輌等の保管証券権益分離方法も好ましい。
【００８４】
ここで、「占有証券」とは、いわゆる所有権に起因する直接的な車の売買、譲渡権を持たず、単に当該商品を所有者に代わって使用する権利、また、その使用権に限って売買、譲渡する権益をいう。
「所有証券」とは、当該商品を所有する権利。本発明にあっては占有権（使用権者）と分離されているため、いわば家の賃借人と家主との権利関係ということができる。
「証券権益分離方法」とは、上記所有権者と、占有権者を分離して、それぞれに特異の権益を付与する証券化方法をいう。
【００８５】
［１９］  前記［８］又は［９］のプログラムにおいて、上記の取引条件選択可能型競合商取引方法のＣ条件に於ける競合商取引注文入札プログラムであって、買い手側自己端末参加者が買い値上限を予め指定し当該設定値未満であれば、競合相手第３者の全ての応札を一応札単位越えて落札するようにプログラム処理され、且つ上記指定上限値に達した時点で応札を停止することを唯一条件とした指値内成行唯一条件注文プログラムも好ましい。
【００８６】
ここで、「一応札単位」とは、取引毎に決められた価格単位をいう。例えば、一応札単位が５０００円であれば、その単位は３万円、３万５千円、４万円と５０００円毎に移行する。その単位が１０，０００円であれば、１０万円、１１万円、１２万円と１万円毎に移行する。
【００８７】
「一応札単位越えて落札する」とは、例えば１万円応札単位のオークションで他の競合者の先頭値が２０万円であれば、「１応札単位超えて落札する」とは２１万円で落札することをいう。
【００８８】
「指値内成行唯一条件注文」とは、オークションでの注文方法の一つで、例えばある買い手オークション参加者が、１応札単位１万円のオークションに「指値内成行唯一条件注文」にて参加した時、当該参加者が５０万円を指値とした時、他の競合者の最高値が４０万円であれば５０万円より下値であるから当該買い手参加者は希望価格値で出品物を買うことができる。この時、当該参加者の買値は４０万円プラス１応札単位（１万円）を加えた４１万円となる。
【００８９】
［２０］  前記［１９］の取引条件選択可能型競合商取引方法のプログラムにおいて、上記の指値内成行唯一条件注文プログラムの逆の買い手条件の競合商取引注文プログラムであって、売り手側自己端末参加者が自らの売り値下限値を予め逆指定し、競合第三者が該逆指値値を一応札単位上回るか、又はそれ以上の値幅内にある時は、その第三者の先頭値に一応札単位を減じて落札することを、また、逆指値値に達した時点で応札を停止することを唯一条件とした、逆指値内成行唯一条件注文プログラムも好ましい。
【００９０】
ここで、「逆指値」とは、通常の指値注文とは逆の形の注文方法において、売り手側が自らの最安値値（ここまでなら安くできる）を下限値として指値する注文方法において指定される値をいう。
【００９１】
「逆指値内成行唯一条件注文」とは、参加者それぞれが自らの最安値値を予め設定しその内の最安値値を指定（指値）した者が、他の競合第三者の一応札単位下段で任意に落札する（成行という）オークション方法であり、この条件のみを参加条件とするところからこの名称を付したものである。
【００９２】
［２１］  諸外国とメールを受信、送信、返信する翻訳機能付諸外国間メール処理プログラムであってメールを受信するステップと、受信メールの外国語を自動送り出しクリックボタンにて送り出し、クリック選択する受信外国語選択ステップと、メールを日本語に変換する翻訳処理機能と該翻訳されたメールを表示するステップと、日本語で記載されたメールを相手国外国語に翻訳する翻訳処理機能と、相手先のメールアドレスをメールアドレスボックスに書き込むステップと、翻訳されたメールを相手国に送信指示する送信指示ステップと、受信メールを保存処理する保存処理ステップと当該保存メールアドレスをメールアドレスボックスに転送する転送書き込みステップとから構成されることを特徴とした、前記［３］、［４］、［８］、［９］記載のプログラムも好ましい。
【００９３】
ここで、「メールアドレスボックス」とは、送り先のメールアドレスを一括して保存する場所をいう。
【００９４】
［２２］  上記［１］又は［２］の競合商取引方法のプログラムにおいて、上記の出品商品の複合条件を登録データ化する売り手商品情報登録データ化手段の細分プログラムであって、当該売り手商品が、車輌等にあってはそのキズ、ヘコミ、破損箇所の有無は商品価値を決定する最重要ファクターであって、引っかきキズ、歯形キズ、ヘコミ、破損等をコンピューターマーク処理して、登録条件表示ケ所に各々カーソルボックス表示手段として定位させるキズ、破損マーク等定位手段と、当該キズ、破損マーク等を定位置よりマウス等操作によるカーソル指示により前記期待マークを車輌平面図の必要箇所に移動固定するキズ、ヘコミ等マークカーソル移動固定手段と当該固定マークをマウス等のクリック操作により拡大、又は縮小するキズ、破損マーク等拡大縮小手段とにより構成されたことを特徴とする売り手商品情報登録データ化手段の細分プログラムも好ましい。
【００９５】
ここで、「コンピューターマーク処理」とは、マウス等の端末操作によりプログラムされた当該各マークをコンピューターグラフィックされた車輌平面図の指定箇所に移動させ必要に応じて拡大、縮小させ、固定させる一連の操作処理をいう。  
【００９６】
「期待マーク」とは、例えば出品車輌のボンネットにへこみがある場合はそれを表示させる必要がある。従ってこの場合は定位置にあるコンピューターマークからヘコミマークをマウス等のカーソル操作により取り出し、ボンネットの指定場所に移動固定させる作業を必要とする。この時、このヘコミマークのことを指示するのに必要なマークを期待マークという。
【００９７】
［２３］  前記［１］又は［２］の競合商取引方法において、売り手、買い手等価参入対比型複合条件商品競合商取引方法の表示手段であって、当該請求項のプログラム表示中央の価格を主体とした価格連鎖帯を車輌等の年式に置換し、当該商取引の主たる出品形体を価格帯より年式帯に置換したことを特徴とする年式主体売り手買い手等価参入対比型複合条件商品競合商取引方法も好ましい。
【００９８】
ここで、「価格連鎖帯」とは、「一万から５万」「６万から１０万」「１１万から１５万」というように一定の単位でブロック化され、連なって表示された価格帯をいう。
【００９９】
本発明は更に詳しく説明すると次の通りである。すなわち、本発明は世界中からコンピューター端末さえ手元にあれば何処からでも何時でもアクセスできるインターネット通信回線を利用した、一般ユーザーアクセス手段と会員登録する為の会員登録手段、また、複合条件を備えた出品商品機材等をほとんどカーソル操作のみで登録終了する複合条件付帯出品物機材等の登録手段と取引にあっては取引商品の検索カテゴリーが一部の情報を入力するのみで、その他のカテゴリーが連携一体表示される複合カテゴリー一体表示機能を備えている。
【０１００】
また、ユーザー個人が取引したい商品アイテムや車輌等では型式、年式等のカテゴリーに付帯した一定価格幅を一ブロックとする価格表示帯を中央に売り手、買い手は自らの希望価格をそれぞれの該価格表示帯の価格ブロックに対応する売り手、買い手登録価格帯兼取引カーソルボックスをクリックすることにより等価でしかも並列的に存在アピールする並列表示型の取引表示、取引操作機能としている、また、出品登録手段により登録されていた情報を開示させ、取引カーソルボックスをクリックすることにより取引モードに転換される。
【０１０１】
当該転換プログラムにより、例えば、売り手のＸ価格帯の情報を知りたい場合は、売り手登録価格帯兼取引カーソルボックスのＸブロックをクリックすると、そこに登録された売り手出品情報が当該Ｘブロックの売り手情報として価格順列配分されて開示されることになる。その開示された条件により、買い手開示者はそのディテイル情報内の契約ボタンを押すと、すぐに契約できる契約手段とにより構成されている。
【０１０２】
本発明にあっては、取引の種別毎に上記取引手段と一体プログラム化された競合商取引成果表示方法による罫線グラフ表示手段により日々刻々の実勢相場を提供できるようにしている。
【０１０３】
また、本発明に於けるオークション商取引にあっては当該商取引を主催するインターネットサーバが落札品、当例に於いては車輌等を確保し条件確認して始めて落札代金が支払われるサーバ保障型取引代金／物品交換処理手段としており、これも本発明の売り手買い手等価参入対比型複合条件商品競合商取引方法に特異である。
【０１０４】
以上のように構成することにより現在の競合商取引いわゆるオークション市場に在る多くの課題を解決することができる。
【０１０５】
以上のように構成された売り手と買い手が等価的に参加する売り手買い手等価参入対比型複合条件商品競合商取引方法に於いては、まず会員ユーザーが端末操作によりログインカーソルボックスをクリックすると、売り手、買い手の現在取引ポジション表示プログラム手段によりコンピューター画面に表示される。取引が未だ発生していない会員がログインした場合には、まず大まかなターゲット商品のカテゴリーが表示される。その下にはより詳細な細分化したカテゴリーが表示され、その一つを選択すると全カテゴリーが連動表示される処理機能を備えている。
【０１０６】
次に、当該プログラムへ初めてログインする会員にあっては、登録カーソルボックスをクリックすると、会員登録と出品登録のカーソルボックスが表示されるので、会員登録をクリックすると、会員登録用のデータ枠が表示される。そこにクリック操作により情報を入力、また、書込み入力が必要な場合はそこに書き込んで会員登録手段に応える。
【０１０７】
また、出品登録にあっては出品登録カーソルボックスをクリックすると出品データ枠が表示される。ここでは、出品グローバル表示画面と出品ディテイル表示画面の２枠に２分されている。
【０１０８】
最初のグローバル枠を充当しディテイル枠へ入る為のＤ表示クリックボタンを押すとディテイルデータ枠が表示される。また、このディテイル枠の中に本発明請求項１５のキズ、ヘコミ等の本発明表示マークをカーソル操作のみでクリック移動線図車輌概略図のどの箇所にでも当該マークを固定する作用機能を与えている。また、同様に該ディテイル枠内には、本発明請求項８のメールの受発信返信機能作用がその個々の取引毎に可能構成され、該取引のメール送受返信作用による個別商品取引の便を最大限に図っている。
【０１０９】
また、本発明は世界中の売り手と買い手が一堂に会する競合商取引であって、その際一番大切になるのはコミュニケーション手段である。本発明に於いては請求項１４に記述したように、メール送、受、返信即応一体型自動翻訳手段を設けて、メジャーな外国語の受信後、送信前即応作用を設けている。
【０１１０】
また、次に取引スクリーニング機能作用についてであるが、ボタンをクリックすると取引スクリーニング各アイテムが表示される取引スクリーニング検索手段があり、その中から取引に不可欠条件や必須条件をピックアップしてクリック操作すると複合条件登録された出品商品条件の中から当該スクリーニングアイテムがピックアップされ、それにヒットした取引商品が選択され売買価格表示コーナーの該当価格帯枠に数値表示する作用をする。
【０１１１】
売り手又は買い手の参加者が、その中から希望する価格帯をピックアップしクリック操作すると、その価格帯の中にある全てのスクリーニング条件の登録参加者が表示される。これを各取引価格帯の参加者価格順列表示と規定している。
【０１１２】
次に、この中から順列番号をクリックすると、参加会員のグローバル登録枠である出品グローバル表示画面、また、その中のディテイルボタンをクリックすると、当該会員のディテイル枠である出品ディテイル表示画面が表示される。
【０１１３】
前記したような各種機能作用が発揮される当該ディテイル枠の最後には、契約コーナーがあり、当該参加会員商品又は買い手側と合意した時には契約ボタンをクリック操作すると、ＩＤコード番号、パスワード入力表示が現われ、当該作業を終了後再度確認ボタンを押すことにより契約を完了する。
【０１１４】
前後するが、出品又は買い手条件登録した会員には、本発明プログラムにログインするとすぐに、メインプログラム画面トップに現在取引ポジションと現時点応札の数等を表示し、本枠表示の各取引をクリックすると当該ディテイル表示枠が表示され、その中のメール受信ボックスには問合せ等のメールが個別表示される構成作用となる。また、前記スクリーニング検索手段による例えばＣ条件を選択すると、当該条件の取引全てがリアルタイムオークションであるので売り手価格帯のみの表示となり、当該価格帯の一つをクリックすると、そこに価格順列表示される参加者枠が表示される当該順列をクリックすると当該商品の競りスタート時間が表示されるスタート音声とコンピューターアナログ時計と並列型電光デジタル数値表示手段により表示される。
【０１１５】
また、本競りリアルタイムオークションのコンピュータースタート表示アナログ時計の上には、競り取引商品のコード番号が電子表示される。また、その上にはスタート前時間表示デジタル時計がある。また、当該オークションに自己競り値が勝ち残り出品商品を落札した時には当該デジタル時計の上にある花火筒よりコンピューターグラフィックスの花火が音声と共に打上げられる機能作用としている。
【０１１６】
さて、当該オークション取引には、本発明に特徴づけられるもう一つの作用が存在する。これは、指値内成行唯一条件注文プログラムと逆指値内成行唯一条件注文プログラム方法であって、登録会員が予め、買い値を指値しその指値値未満であれば落札するを唯一作用条件とした注文方法である。
【０１１７】
最後に、本発明の競合商取引にあって特異とする作用に、通常取引価格を主体に売り手買い手がポジショニングするものを車輌等の年式等価格以外をその基準点に置き換えて、そこに売り手買い手が自らの価格を提示して商取引を行う価格外基準取引方法による基準点置換作用により、いままでにない競合商取引の分野を創造した。
【実施例】
【０１１８】
以下に本発明につき、その実施例を、図面を参照にしながら順を追って説明する。本発明を詳しく説明するためには、主に、売り手及び買い手が見るディスプレーの内容を用いて説明するのが分かり易いので、以下では、「ディスプレーの具体的表示内容の一例」を用いて説明する。ただし、本発明は、下記の具体的ディスプレーの表示には限定されず、本発明の趣旨の範囲内で定められるものである。
【０１１９】
＜ディスプレーの具体的表示内容による本発明の実施例＞
第１図はログイン後の本プログラムのメインコンピューター画面である。画面上方の大枠１は株式会社ユーズドカー国際オークション市場の通称ＵＣＩＡＭの画面ベッドの実施例であり、同枠１の右端には当該ＵＣＩＡＭのマスコットトレードマークＵＣＩＦＯ君２がログインカーソルボックス３を腹部に位置設定している。その下のメイン取引大枠４は本発明に係るオークションにより発生する各種取引を表示させるスペースであり、その個々の様態を個別取引表示枠５により個別表示している。
【０１２０】
向かって右端の個別取引表示枠５は、上下に分かれ下段には、また、２つのカーソルボックスに分かれている。右のボックスは入金カーソルボックス６、その隣は出金カーソルボックス７、上段は残高照会カーソルボックス８、右から２番目の個別取引表示枠５は取引履歴カーソルボックス９、その次は損益計算カーソルボックス１０、その次は更新クリックボタン付相場カーソルボックス１１、その次は取引ランキングカーソルボックス１２と人気ランキングカーソルボックス１３に分かれ、その次の個別取引表示枠５はホームページ表示カーソルボックス１４、最後の枠５は広告枠である。
【０１２１】
この実施例では、本発明のサンプルプログラムであるＵＣＩＡＭの会員広告カーソルボックス１５と本発明の基本プログラムを利用するあらゆるカテゴリーの異業種に使われる異業種広告カーソルボックス１６とに分かれている。また、広告垂直方向連枠１８は、上記１５、１６の広告枠の１つ１つを表わす実施例である。
【０１２２】
また、下のメインプログラム表示枠１９の中に見える最上部のプログラムブロックは現在取引ポジション表示プログラムブロック２０であり、本売り手買い手等価参入対比型複合条件商品競合商取引方法に、登録後何らかの取引を開始すると当該プログラムブロック２０ログイン後、該表示枠１９の最上部に表示される。その下の本取引方法メインプログラムブロック２１は、頭部ブロック２２、首手ブロック２３、胴体ブロック２４、足ブロック２５に分かれている。
【０１２３】
頭部ブロック２２は、本競合商取引に出品する商品の諸カテゴリーを表示する部位であり細分化されている。本実施例である中古車のオークション市場プログラムにあっては上より国２６、メーカー２７、機種２８、車種２９、年式３０になっている、また、その枠の右端にはそれぞれ各アイテム自動ディテイル送り出しクリックボタン３１が付設されている。
【０１２４】
また、この下の首手ブロック２３には、頭部ブロック２２を消したり、表示させたり、縮退させる為の頭部ブロックコントロールクリックボタン３２が存在する。また、首手ブロック２３は画面右端より取引固有相場表示カーソルボックス３３登録ヘルプカーソルボックス３４登録カーソルボックス３５、買い手表示パネル３６、プライス表示パネル３７、売り手表示パネル３８、取引カーソルボックス３９、取引ヘルプカーソルボックス４０、取引スクリーニングカーソルボックス４１からなる。胴体ブロック２４は、買い手表示パネル３６の下に買い手登録価格帯兼取引カーソルボックス４２プライス表示パネル３７の真下につらなる価格表示帯４３に同位して垂直につらなっている。
【０１２５】
また、その反対側の売り手表示パネル３８の下には、売り手登録価格帯兼取引カーソルボックス４４が該価格表示帯４２に同位して垂直につらなっている。また、登録カーソルボックス３５の下には買い手登録価格帯兼取引カーソルボックス４２の連鎖壁側面にそって胴体ブロック垂直カーソルスライダー４５が施設されている。
【０１２６】
また、足ブロック２５の構成は右端より輸出ヘルプカーソルボックス４６その左隣が輸出カーソルボックス４７、中央余白を飛ばして左はリアルタイムオークションカーソルボックス４８、その左端はリアルタイムオークションヘルプカーソルボックス４９である。以上がログイン後コンピューター画面上に表示されるほぼ全ての表示プログラム実施例である。
【０１２７】
同様に図面を追いながら各実施例について説明すると、図２は前記した通り現在取引きポジション表示プログラムブロック２０であり、その細目を表示する現在ポジション実施例である。
【０１２８】
また、図３は会員に仮登録する場合の新規会員に開放するお試しログイン後に表示される該ボックス３５をクリックした時に上方に表示される会員登録カーソルボックス５０をクリックした時の表示画面の実施例である。
【０１２９】
また、図４は同様に登録カーソルボックス３５をクリックした時に下段に表示される出品登録カーソルボックス５１をクリックした時に表示される出品登録画面の全体像であり、図中に見える如く大まかな必要基本項目を表示する為の出品グローバル登録表示画面５２である。また、この画面の右側面下部にはより細目を登録表示する為の出品ディテイル登録表示画面５３を開示させるディテイル画面開示用クリックボタンＤ５４がある。
【０１３０】
第５図はそのディテイル登録表示画面であるが上段枠は写真枠、中段枠は車輌等の各種細目状況を、また、下段枠には事故、キズの有無等の説明を図面入りで説明する構成としている。
【０１３１】
また、当該ディテイル枠には本発明の特異とする本発明［２１］のメールを送り主の外国語に翻訳して送信する、又は来たメールを日本語に翻訳するメール送、受、返信即応一体型自動翻訳プログラム５５がある。
【０１３２】
また、その次の実施例として、本発明［２２］の、ひっかきキズ、ヘコミ、歯型キズ、破損マーク等をカーソル移動させて、画面上の線図車輌５６に固定させるキズ、ヘコミ、破損マーク等カーソル固定手段を備える。また、出品ディテイル表示画面の右下端のクリックボタンＣ５７は図６の契約画面５８を表示する為である。
【０１３３】
第６図について説明すると上から購入余力表示ボックス５９、出品コードナンバー表示ボックス６０、数量表示ボックス６１、価格表示ボックス６２、相手コードナンバー表示ボックス６３、日付表示ボックス６４等の必要事項を入力して、その下端のコントロール枠６５には右よりキャンセルカーソルボックス６６、訂正カーソルボックス６７、契約カーソルボックス６８が施設されている。
【０１３４】
また、図７は契約カーソルボックス６８を押した後の契約再確認表示画面であり、本発明サーバ登録会員のＩＤコードナンバー６９パスワード７０を入力して下端のキャンセル、ＯＫのどちらかの最終意志決定ボタンをカーソルクリックするように実施されている。
【０１３５】
また、図８は買い手側の取引グローバル条件表示画面７１であり、本画面には本実施例の車であれば車種、型式、年式等のグローバル条件を登録表示する。
【０１３６】
また、図９は買い手側取引グローバル条件表示画面７１の下半分を表示しており、ここでも前記した本発明［２１］のメール送、受、返信即応一体型自動翻訳手段５５がある。本実施例では、左から受信メール開示クリックボタン７２、次にメール送信クリックボタン７３、メール返信ボタン７４と並んでおり、その次に、英語でｉｎその次に外国語表示ボックス７５とその外国語を送り出す外国語自動送り出しクリックボタン７６があり、その次に送り先を書き込むメールアドレス書込みボックス７７が施設されている
【０１３７】
最後にＧＯという表示の実行クリックボタン７８がある。以上のように構成することにより、例えばイギリスにいる取引相手には日本文にて原稿を書き、メール送信クリックボタン７３を押しロックオンし、次に外国語表示ボックス７５を英語がくるように外国語自動送り出しクリックボタン７６を押し、該ボックス内に英語と表示させ、次に相手のメールアドレスを記入し、実行のＧＯ表示の実行クリックボタン７８をクリックすると該日本語は英語に翻訳されて相手先に送信されるのが、このメール送、受、返信即応一体型自動翻訳手段５５である。
【０１３８】
また、本第５図のメールアドレス書込みボックス７７の上には登録消去クリックボタン７９と登録保存クリックボタン８０が施設されている。
【０１３９】
次に第１０図について見ると、本図は本発明［１］又は［２］のカテゴリー価格順列振分け登録手段により価格帯毎に振分け処理された情報を買い手が売り手登録価格帯兼取引カーソルボックス４４をクリックし、登録情報開示手段により開示させた時の売り手価格取引表示画面であり、当該価格帯に高額登録した売り手登録会員から順列的に配置された実施列である。左より順列ナンバー、その価格、ＩＤコードナンバー、取引条件、アクセス回数、その右に出品グローバル登録表示画面５２を開示させる為のクリックボタンＧ８１が施設されている。
【０１４０】
次に第１１図について説明すると、上から出品商品をスクリーン付帯３６０度カーソルスライダーにより３６０度回転して映し出すことのできる出品商品３６０度表示スクリーン８２、その下に出品番号競合商取引スタート前時間表示デジタル時計ボックス８３、出品コード番号自動送り出しボタン８４、その左側に出品番号表示ボックス８５、また、その左側に当該出品内容を表示させる為の出品内容表示クリックボタン８６が施設されている。また、前記デジタル時計ボックス８３の中央上部には花火筒８７が施設されている。
【０１４１】
特に、競合商取引が成功した時に音声付のデジタル画像花火が打上げられる。その下のアナログ型の時計はコンピュータースタート表示アナログ時計８８であり、本実施例に於いては、オークションスタート前に２秒で２７０度を回り、その残り９０度を４秒でピッ、ピッ、ピッ、ポーと秒針を音声と共に表示合図する手段としている。また、その下の腕様ブロック部８９には、右端より、売り手取引クリックボタン９０、その左に売り手取引ロックオンオフクリックボタン９１、また、その左にはｓｅｌｆ＝自身取引表示パネル９２、その左にはｏｔｈｅｒｓ＝全体取引表示パネル９３、その左にプライスパネル９４、また、その左には画面消却クリックボタン９５が施設されている。
【０１４２】
また、プライス表示胴体ブロック９６にはｓｅｌｆ＝自身取引表示パネル９２の下にコンピューター電光掲示システムによる自己取引価格電光表示帯９７が、また、その左隣のｏｔｈｅｒｓ＝全体取引表示パネル９３の下には、第三者競合価格電光表示帯９９が、その左隣のプライスパネル９４の下の価格帯連鎖表示板９８にシンクロして表示される。また、当該プライス表示胴体ブロック９６の左側面にはプライス表示胴体ブロック昇降クリックボタン１００とスライドカーソルボタン１０１が施設されている。また、足部ブロック１０２には右端より買い手取引クリックボタン１０３その左側に買い手取引ロックオンオフクリックボタン１０４が施設されている。又、中央には自己価格が上下の取引クリックボタン９０、１０３に連動して自己取引価格表示ボックス１０５がある。また、その下には、各取引毎の成約者のＩＤナンバー表示用の成約者ＩＤナンバー表示ボックス１０６がある。また、その左端にはオールクリアークリックボタン１０７が施設されており、注文契約ブロック１０８に都度入力された情報を全消去することができる。
【０１４３】
さて、注文契約ブロック１０８は、次のように構成されている。上より購入余力表示ボックス１０９、取引条件ボックス１１０、ｆｒｏｍ１１１ｔｏ１１２、数量１１３、価格１１４、有効期間１１５等より構成され、その下に契約のクリックボタン１１６が施設されている。また、当該ブロックの最下端には右よりキャンセルクリックボックス１１７、訂正クリックボックス、１１８予約注文クリックボックス１１９が施設されている。
【０１４４】
また、次に第１２図について説明すると、本図は本発明［１９］の指値内成行唯一注文プログラム方法及び逆指値内成行唯一条件注文プログラム方法を説明する実施図である。本図に於いて９８は、価格連鎖表示板９９は第３者競合価格電光表示帯９７は自己取引価格電光表示帯を示す実施例であり、１２０は本発明［１９］の指値内成行唯一条件注文に於ける指値を線表示した実施例であり、１２１は実際に当該競合商取引が成行成立した線表示実施例である。
【０１４５】
この時、９７の第３者競合価格電光表示帯は成行成立した価格よりも一取引単位下に在ることは本発明請求項中で説明した通りである。また、矢印実線部１２２は該指値内成行唯一条件注文が成立した価格帯を表示し、矢印点線部は当該指値値と実際落札値との指値落札差額１２３を示すものである。
【０１４６】
また、逆指値内成行唯一条件注文プログラム方法について図１２を参考に説明すると、１２４は逆指値応札値を表す。また、１２５は実際の逆指値落札値を表わす。この時やはり第３者競合価格電光表示帯９９は逆指値落札値１２５よりも一注文取引単位上にあることは本発明［２０］の逆指値唯一注文プログラム方法にて説明した通りである。また、矢印実線部１２２は、当該逆指値内成行唯一条件注文が成立した逆指値落札値１２５を表し、点線部は当該逆指値応札値１２４と実際落札値１２５との逆指値落札差額１２６を表す実施例である。
【０１４７】
最後に第１３図について説明すると、これも本発明競合商取引に特異であり第１図の首手ブロック２３の右端の取引毎の取引固有相場表示カーソルボックス３３をクリックすると、各取引に固有の相場手段により図１３の如く表示される。横線は相場価格判断用の相場価格表示用示線１２７、縦線は相場期間を表す相場価格表示用示線１２８であり、罫線は各区間に於ける当発明競合商取引対象商品の価格動向を表す区間内対象商品価格罫線１２９を表し、下辺から上に伸びる棒グラフは各区間に於ける該取引の出来高１３０を表す。
【０１４８】
また、この相場表１３１は上部に期間表示ボックス１３２と該期間を自動的に送り出す期間表示自動送り出しボタン１３３、また、取引商品の種別を表示する種別表示ボックス１３４、また、その自動送り出しを行わせる為の種別表示自動送り出しクリックボタン１３５、また、その隣に検索クリックボタン１３６、また、その左には更新クリックボタン１３７が施設されている。また、当図の右手には最新指定期間に於ける平均相場値１３８を表す平均相場値表示手段１３９が前記相場表示手段と連動して構成されている。本構成は該平均相場値１３８の下に指定期間平均価格差表示ボックス１４０、その下に当該指定期間に於ける出来高を表示させる為の指定期間平均出来高表示ボックス１４１が施設されている。
【０１４９】
以上が本発明に係る売り手買い手等価参入対比型複合条件商品競合商取引方法の例である。
【０１５０】
＜売り手及び買い手の行為による本発明の実施例＞
売り手：
（１）自分の車の車種、型式、年式、走行距離、色、右ハンドルであること、販売価格を１００万円と入力した。
（２）写真を入力した。
（３）オーナーコメント欄にコメントを書き込んだ。
（４）オークション方法（Ａ）（Ｂ）（Ｃ）の内（Ｂ）の競合商取引方法を選択した。
（５）商取引期間７日間と入力した。
（６）７日後、買い手が５人いたので、買い手の条件を出力した。
（７）買い手の内３番目に高値を付けた人は、ディテイル欄に全身写真とコメント載せられていた。コメントには、その車を何年も探していたこととフランス人であることが書き込まれていた。この人に決めた。
（８）フランス人である買い手に、契約する旨の内容のメールを送信するため、本発明サーバプログラムの外国語自動翻訳プログラムを活用した。
（９）買い手より返信メールが届く。外国語自動翻訳プログラムにより日本語で読むことができた。
（１０）買い手が送付した暗証番号を入力し、契約実行ボタンを押し契約が成立した。
（１１）サーバに、自動的に預入金の内から当該契約の仲介手数料（成約料）（保管料）が支払われた。
（１２）サーバには、この売買取引が自動的に入力され、取引実績グラフとして、価格罫線グラフと、出来高棒グラフに反映された。
【０１５１】
買い手：
（１）ＩＤコードナンバーとパスワードを入力して参加した
（２）「車種」「年式」「右ハンドル」「価格」が絶対条件だったので、買い手情報としてこの条件を入力した。
（３）スクリーニング機能を活用したところ、上記売り手の車を含む３台が出力された。
（４）ディテイルを表示させた。
（５）選択した車の写真が出力され、色は赤と黒と白であることが判明した。価格的には赤が一番条件にあったが、白が好きだったので、白を選択した。
（６）その車を「買う」として入力した。
（７）売り手から、「あなたに売る」という情報が暗証番号とともに送られてきた。
（８）売買契約を入力した。
【０１５２】
＜売り手及び買い手の行為の比較例＞
買い手：（従来のネットオークションで期間、指値指定のもの）
（１）コンピューターにアクセスした。
（２）出品登録されたものは、車種も型式、価格、走行距離もバラバラであった。
（３）応札ゼロの車がたくさんあった。
（４）自分の調べたい車種、型式、価格帯のすべての条件に該当するものがないか、検索したが、見つからなかった。
（５）同条件の車が一箇所に集約表示されていれば時間をかけずに選択の幅も広がり、より売り手にも、買い手にも利便性が高いはずだが、そのようなオークションのサイトは見つけられなかった。
【０１５３】
買い手：（従来のリアルタイムオークション押しボタン又はクリック式オークション）
（１）気に入った車（第２希望）のオークションが開始されるまで、パソコンの前で６時間も待った。
（２）オークションスピードについていけず、オークションに参加できなかった。しかし、第１希望があると思い我慢した。
（３）しかし、リアルオークションの難しさから、第１希望では自分の予算を超えた価格で落札することとなってしまった。
【産業上の利用可能性】
【０１５４】
本発明に係る競合商取引方法は、中古車のネットオークションを始め、新幹線、飛行機のチケット、骨董品、家、農産品、鉱物、石油等あらゆる物品、商品のオークションという商取引の分野において広く利用されるものである。
【図面の簡単な説明】
【０１５５】
【図１】本発明のログイン後に表われるメイン画面の概略図
【図２】現在取引ポジションを表わすプログラム表示平面図
【図３】会員登録用プログラム表示の平面図
【図４】売り手出品グローバル条件登録プログラム表示の概略平面図
【図５】売り手出品ディテイル登録プログラム表示の概略平面図
【図６】契約プログラム表示の概略平面図
【図７】契約再確認プログラム表示の概略平面図
【図８】買い手グローバル条件登録プログラム表示概略平面図
【図９】買い手グローバル条件登録プログラムの内のメール送受信即応一体自動翻訳手段の概略説明図
【図１０】第１図のカーソルボックス４４をクリック後に表示される買い手、売り手の各価格帯に於ける価格順列表示図
【図１１】リアルタイムオークション参加時の全プログラム概略図
【図１２】本発明取引形体である指値内成行唯一条件注文（Ａ）、及び逆指値内成行唯一条件注文（Ｂ）の概略説明図
【図１３】本発明の特徴を表わすオークション相場表の表示例概略図
【図１４】本発明［１］の競合商取引方法の特徴となる機能、各手段のチャート
【図１５】本発明［２］の競合商取引方法に用いられるプログラムにおける機能、各手段のチャート
【図１６】本発明［３］の競合商取引方法の特徴となる３つの選択肢のチャート
【図１７】本発明［４］の競合商取引方法の中の選択肢（Ｂ）のチャート
【図１８】本発明［５］の競合商取引方法の中の選択肢（Ｃ）に用いられるプログラムのチャート
【図１９】本発明［６］の競合商取引方法の中の選択肢（Ｃ）に用いられるプログラムのチャート
【図２０】本発明［７］の取引条件選択可能型競合商取引方法のチャート
【図２１】本発明［８］の競合商取引方法用プログラムのチャート
【図２２】本発明［９］の競合商取引方法用プログラムのチャート
【図２３】本発明［１０］の商品開示プログラムのチャート
【図２４】本発明［１１］の競売システムのチャート
【図２５】本発明［１２］の商品開示プログラムのチャート
【符号の説明】
【０１５６】
１．  ログイン後メインコンピューター画面上方大枠
２．  ＵＣＩＡＭマスコットトレードマークＵＣＩＦＯ
３．  ログインカーソルボックス
４．  メイン取引表示大枠    
５．  個別取引表示枠
６．  入金カーソルボックス
７．  出金カーソルボックス
８．  残高照会カーソルボックス
９．  取引履歴カーソルボックス
１０．  損益計算カーソルボックス
１１．  更新クリックボタン付相場表カーソルボックス
１２．  取引ランキングカーソルボックス
１３．  人気ランキングカーソルボックス
１４．  ホームページ表示カーソルボックス
１５．  ＵＣＩＡＭ会員広告カーソルボックス
１６．  異業種広告カーソルボックス
１７．  広告垂直方向連枠
１８．  個別広告枠実施例
１９．  メインプログラム表示枠
２０．  現在取引ポジション表示プログラム
２１．  オークションメインプログラムブログ
２２．  頭部ブロック
２３．  首手ブロック
２４．  胴体ブロック
２５．  足ブロック
２６．  国名
２７．  メーカー名
２８．  機種
２９．  車種
３０．  年式
３１．  各アイテム自動ディテイル送り出しクリックボタン
３２．  頭部ブロックコントロールクリックボタン
３３．  取引固有相場表示カーソルボックス
３４．  登録ヘルプカーソルボックス
３５．  登録カーソルボックス
３６．  買い手表示パネル
３７．  プライス表示パネル
３８．  売り手表示パネル
３９．  取引カーソルボックス
４０．  取引ヘルプカーソルボックス
４１．  取引スクリーニングカーソルボックス
４２．  買い手登録価格帯兼取引カーソルボックス
４３．  価格表示帯
４４．  売り手登録価格帯兼取引カーソルボックス
４５．  胴体ブロック垂直カーソルスライダー
４６．  輸出ヘルプカーソルボックス
４７．  輸出カーソルボックス
４８．  リアルタイムオークションカーソルボックス
４９．  リアルタイムオークションヘルプカーソルボックス
５０．  会員登録カーソルボックス
５１．  出品登録カーソルボックス
５２．  出品グローバル登録表示画面
５３．  出品ディテイル登録表示画面
５４．  ディテイル画面開示用クリックボタン
５５．  メール送、受、返信即応一体型自動翻訳手段
５６．  線図車両
５７．  クリックボタンＣ
５８．  契約画面
５９．  購入余力表示ボックス
６０．  出品コードナンバー表示ボックス
６１．  数量表示ボックス
６２．  価格表示ボックス
６３．  相手コードナンバー表示ボックス
６４．  日付表示ボックス
６５．  コントロール枠
６６．  キャンセルカーソルボックス
６７．  訂正カーソルボックス
６８．  契約カーソルボックス（契約再確認表示ボタン）
６９．  ＩＤコードナンバー
７０．  パスワード
７１．  買い手取引グローバル条件表示画面
７２．  受信メール開示クリックボタン
７３．  メール送信クリックボタン
７４．  メール返信クリックボタン
７５．  外国語表示ボックス
７６．  外国語自動送り出しクリックボタン
７７．  メールアドレス書込みボックス
７８．  実行クリックボタンＧＯ
７９．  登録消去クリックボタン
８０．  登録保存クリックボタン
８１．  クリックボタンＧ
８２．  出品商品３６０度表示スクリーン
８３．  出品番号別競合商取引スタート前時間表示デジタル時計ボックス
８４．  出品コード番号自動送り出しクリックボタン
８５．  出品コード番号表示ボックス
８６．  出品内容表示クリックボタン
８７．  花火筒
８８．  コンピュータースタート表示アナログ時計
８９．  腕様ブロック部
９０．  売り手取引クリックボタン
９１．  売り手取引ロックオンオフクリックボタン
９２．  ｓｅｌｆ＝自身取引表示パネル
９３．  ｏｔｈｅｒｓ＝全体取引表示パネル
９４．  プライスパネル
９５．  画面消去クリックボタン
９６．  プライス表示胴体ブロック
９７．  自己取引価格電光表示帯
９８．  価格帯連鎖表示板
９９．  第３者統合価格電光表示帯
１００．昇降クリックボタン
１０１．スライドカーソルボタン
１０２．足部ブロック
１０３．買い手取引クリックボタン
１０４．買い手取引ロックオンオフクリックボタン
１０５．自己取引価格表示ボックス
１０６．成約者ＩＤナンバー表示ボックス
１０７．オールクリアークリックボタン
１０８．契約注文ブロック
１０９．購入余力表示ボックス
１１０．取引条件ボックス
１１１．Ｆｒｏｍ
１１２．Ｔｏ
１１３．数量
１１４．価格
１１５．有効期間
１１６．契約クリックボタン
１１７．キャンセルクリックボックス
１１８．訂正クリックボックス
１１９．予約注文クリックボックス
１２０．指値内成行唯一条件注文時の指値線表示実施例  
１２１．指値内成行唯一条件注文時の成行成立値線表示実施例
１２２．矢印実線部
１２３．指値落札差額
１２４．逆指値応札値
１２５．逆指値落札値
１２６．逆指値落札差額
１２７．相場価格表示用示線
１２８．相場期間表示用示線
１２９．区間内対象商品価格罫線
１３０．出来高
１３１．相場表
１３２．期間表示ボックス
１３３．期間表示自動送り出しクリックボタン
１３４．種別表示ボックス
１３５．種別表示自動送り出しクリックボタン
１３６．検索クリックボタン
１３７．更新クリックボタン
１３８．平均相場値
１３９．平均相場値表示手段
１４０．指定期間平均価格表示ボックス
１４１．指定期間平均出来高表示ボックス
【図１】
2008226219.tif 000003
【図２】
2008226219.tif 000004
【図３】
2008226219.tif 000005
【図４】
2008226219.tif 000006
【図５】
2008226219.tif 000007
【図６】
2008226219.tif 000008
【図７】
2008226219.tif 000009
【図８】
2008226219.tif 000010
【図９】
2008226219.tif 000011
【図１０】
2008226219.tif 000012
【図１１】
2008226219.tif 000013
【図１２】
2008226219.tif 000014
【図１３】
2008226219.tif 000015
【図１４】
2008226219.tif 000016
【図１５】
2008226219.tif 000017
【図１６】
2008226219.tif 000018
【図１７】
2008226219.tif 000019
【図１８】
2008226219.tif 000020
【図１９】
2008226219.tif 000021
【図２０】
2008226219.tif 000022
【図２１】
2008226219.tif 000023
【図２２】
2008226219.tif 000024
【図２３】
2008226219.tif 000025
【図２４】
2008226219.tif 000026
【図２５】
2008226219.tif 000027